(57)【要約】【目的】  前後両ベッド半体を展開させた時に、カバーと枢着部分との間に大きな隙間ができず、安全性に優れた折り畳み式ベッドを提供する。【解決手段】  前部ベッド半体１と後部ベッド半体２とを枢着部３によってベッド使用時の展開状態から鉛直姿勢に折り畳み自在に枢着し、枢着部３を安全カバー４によって被覆するようにした折り畳み式ベッドにおいて、安全カバー４を、外側壁部１８と内側壁部１９と上壁部２０とで形成し、側壁部１８，１９の一端側に円弧状案内溝２１，２２を設け、案内溝２１，２２に前部ベッド半体１側の枢軸１４をスライド自在に係合させると共に、側壁部１８，１９の他端側を後部ベッド半体２側に枢軸２４で枢着することにより、安全カバー４が前後両ベッド半体１，２の展開及び折り畳み動作に追従変位して枢着部３を被覆する。【選択図】図５
2005074068.tif 000002
【特許請求の範囲】
【請求項１】
上半身側が載る前部ベッド半体と、下半身側が載る後部ベッド半体とを、対向端面の両端側で枢着部によって、ベッド使用時の展開状態から鉛直姿勢に折り畳み自在に枢着し、この枢着部を安全カバーで被覆するようにした折り畳み式ベッドにおいて、安全カバーを、外側壁部と内側壁部と両側壁部をつなぐ上壁部とで形成し、側壁部の一端側に円弧状の案内溝を貫設し、この案内溝に枢着部における前部ベッド半体側の枢軸又は後部ベッド半体側の枢軸をスライド自在に係合させると共に、側壁部の他端側を後部ベッド半体側又は前部ベッド半体側に枢軸で枢着することにより、この安全カバーが前後両ベッド半体の展開及び折り畳み動作に追従変位して枢着部を被覆するようにしてなる折り畳み式ベッド。
【請求項２】
上半身側が載る前部ベッド半体と、下半身側が載る後部ベッド半体とを、対向端面の両端側で枢着部によって、ベッド使用時の展開状態から鉛直姿勢に折り畳み自在に枢着し、この枢着部を安全カバーで被覆するようにした折り畳み式ベッドにおいて、安全カバーを、外側壁部と内側壁部と両側壁部をつなぐ上壁部とで形成し、側壁部の一端部を枢軸によって前部ベッド半体側又は後部ベッド半体側に枢着すると共に、側壁部と枢着部との間に上壁部を枢着部側に引き付けるバネを介装することにより、この安全カバーが前後両ベッド半体の展開及び折り畳み動作に追従変位して枢着部を被覆するようにしてなる折り畳み式ベッド。
【発明の詳細な説明】
【技術分野】
【０００１】
本発明は、折り畳み式ベッドに関するものである。
【背景技術】
【０００２】
従来の折り畳み式ベッドとしては、下記の特許文献１に記載されたものある。即ち、このベッドは、上半身側が載る前部ベッド半体と、下半身側が載る後部ベッド半体とを、対向端面の両端部で枢着部により、ベッド使用時の展開状態から側面視倒立Ｖ字状に折り畳んで最終的に鉛直姿勢に折り畳みできるように枢着したもので、その枢着部が安全カバーによって覆われるようになっている。
【特許文献１】特許第３２２６４９３号公報（第１〜３頁、図１及び図３）
【発明の開示】
【発明が解決しようとする課題】
【０００３】
上記従来の折り畳み式ベッドに設けられている枢着部分を覆う安全カバーは、外側壁部と内側壁部と両側壁部の上部をつなぐ上壁部とからなる下向きコ字形のものであるが、この安全カバーは、固定部材（折り畳み時に回動したり揺動したりしない部材）である枢結部材（中心軸を介して中心脚に固定されている）に取付け固定されるようになっているため、前後両ベッド半体を折り畳んだ時には、カバーの上壁部が枢着部分に対し殆ど隙間のないように覆うことになるが、ベッドの使用にあたって前後両ベッド半体を展開させた時には、カバー上壁部と、枢着部である前後フレームの対向端部との間に大きな隙間ができて、カバー上壁部が枢着部から上方へ突出した状態となり、その突出した部分に手指を引っ掛けたり、枢着部との隙間部分にシーツ等を挟み込んだりする不都合があった。
【０００４】
本発明は、上記の課題に鑑み、前後両ベッド半体を展開させた時に、カバー上壁部と枢着部分との間に大きな隙間ができず、従ってカバー上壁部が枢着部分から殆ど突出せず、その枢着部分に添った形となって、ベッド使用上の安全性に優れた折り畳み式ベッドを提供することを目的とする。
【課題を解決するための手段】
【０００５】
請求項１に係る発明の折り畳み式ベッドは、上半身側が載る前部ベッド半体１と、下半身側が載る後部ベッド半体２とを、対向端面の両端側で枢着部３によって、ベッド使用時の展開状態から鉛直姿勢に折り畳み自在に枢着し、この枢着部３を安全カバー４によって被覆するようにした折り畳み式ベッドにおいて、安全カバー４を、外側壁部１８と内側壁部１９と両側壁部１８，１９をつなぐ上壁部２０とで形成し、側壁部１８，１９の一端側に円弧状の案内溝２１，２２を貫設し、この案内溝２１，２２に枢着部３における前部ベッド半体１側の枢軸１４又は後部ベッド半体２側の枢軸１６をスライド自在に係合させると共に、側壁部１８，１９の他端側を後部ベッド半体２側又は前部ベッド半体１側に枢軸２４で枢着することにより、この安全カバー４が前後両ベッド半体１，２の展開及び折り畳み動作に追従変位して枢着部３を被覆することを特徴とする。
【０００６】
請求項２に係る発明の折り畳み式ベッドは、上半身側が載る前部ベッド半体１と、下半身側が載る後部ベッド半体２とを、対向端面の両端側で枢着部３によって、ベッド使用時の展開状態から鉛直姿勢にに折り畳み自在に枢着し、この枢着部３を安全カバー３４で被覆するようにした折り畳み式ベッドにおいて、安全カバー３４を、外側壁部１８と内側壁部１９と両側壁部１８，１９をつなぐ上壁部２０とで形成し、側壁部１８，１９の一端部を枢軸２４によって前部ベッド半体１側又は後部ベッド半体２側に枢着すると共に、側壁部１８，１９と枢着部３との間に上壁部２０を枢着部３側に引き付けるバネ３２を介装することにより、この安全カバー３４が前後両ベッド半体１，２の展開及び折り畳み動作に追従変位して枢着部３を被覆するようにしてなることを特徴とする。
【発明の効果】
【０００７】
請求項１に係る発明の折り畳み式ベッドによれば、前後両ベッド半体が水平に展開されたベッド水平展開姿勢では、安全カバーは枢着部の殆ど全体を被覆し、そしてベッドが水平展開姿勢から折り畳まれて鉛直姿勢に起立すると、安全カバーは、その一端側が一方のベッド半体と共に上動し、他端側が他方のベッド半体の枢軸とこれが係合する案内溝とにより上動変位して、枢着部の殆ど全体を覆うようになる。また、折り畳まれて鉛直姿勢に起立した両ベッド半体が水平に展開すると、安全カバーは、両ベッド半体の展開動作に追従して下動変位し、枢着部の殆ど全体を被覆する。このように、前後両ベッド半体を展開する時には、カバー上壁部が枢着部から殆ど突出せず、その枢着部に添った形となって、枢着部が安全カバーで覆われるから、枢着部付近に手指等を挟むおそれがない。また前後両ベッド半体が水平に展開した時は、安全カバーによって、枢着部付近に殆ど隙間ができないので、シーツ等を挟み込んだりすることがない。
【０００８】
請求項２に係る発明の折り畳み式ベッドによれば、ベッド水平展開姿勢では、安全カバーは枢着部の殆ど全体を被覆する。しかして、このベッド水平展開姿勢から前後両ベッド半体を折り畳むと、安全カバーは、バネの付勢力に抗して平行姿勢のまま上動変位し、枢着部の殆ど全体を被覆する。このように折り畳まれて鉛直姿勢に起立した前後両ベッド半体が水平に展開すると、安全カバーは、前後両ベッド半体展開動作に追従して水平姿勢のまま下動変位し、枢着部の殆ど全体を覆う。このように、前後両ベッド半体を展開する時には、カバー上壁部が枢着部から殆ど突出せず、その枢着部に添った形となって、枢着部が安全カバーで覆われるから、枢着部付近に手指等を挟むおそれがない。また前後両ベッド半体が水平に展開した時には、安全カバーによって、枢着部付近に殆ど隙間ができないので、シーツ等を挟み込んだりすることがない。
【発明を実施するための最良の形態】
【０００９】
以下に、本発明の好適な実施形態について、図面を参照しながら説明する。図１は本発明に係る折り畳み式ベッドを示す斜視図、図２は同ベッドの側面図、図３は同ベッドの折り畳み状態を示す側面図である。図４の(a) は枢着部３の一部である枢着ブラケットを示す斜視図、(b) は安全カバー４を外側壁部１８側から見た斜視図、(c) は同安全カバー４を内側壁部１９側から見た斜視図である。また図５の(a) は展開されたベッドの枢着部３が安全カバー４で覆われた状態を示す斜視図、(b) は折り畳まれたベッドの枢着部３が安全カバー４で覆われた取付状態を示す斜視図である。図６の(a) は図５の(a) に示す安全カバー取付状態の正面図、(b) は平面図、(c) は(a) のイ−イ線断面図、図７の(a) は図５の(b) に示す安全カバー取付状態の正面図、(b) は平面図、(c) は(a) のロ−ロ線断面図である。
【００１０】
この折り畳み式ベッドは、上半身側が載る前部ベッド半体１と、下半身側が載る後部ベッド半体２と、からなるもので、前後両ベッド半体１，２は、対向端面の両端側で枢着部３，３により、図２に示すベッド使用時の展開状態から側面視倒立Ｖ字状に折り畳まれて最終的に図３に示すような鉛直姿勢に折り畳まれるように枢着され、各枢着部３は安全カバー４により覆われるようになっている。
【００１１】
図１から分かるように、前部ベッド半体１は、平面視コ字状の前部フレーム５と、この前部フレーム５に載設される前部マット６とからなり、後部ベッド半体２は、平面視コ字状の後部フレーム７と、この後部フレーム７に載設される後部マット８とからなる。コ字状前部フレーム５の両端部は、図４の(a) に示すような枢着ブラケット９，９に夫々前方から差し込まれ、コ字状後部フレーム７の両端部は同ブラケット９，９に後方から差し込まれ、そしてこれら枢着部３，３が安全カバー４，４で覆われて、図５の(a) 、(b) に示すような状態となる。
【００１２】
枢着部３の構造について説明すると、枢着ブラケット９は、外側板部９ａと内側板９ｂと両側板部９ａ，９ｂの下端中央部をつなぐ下板部９ｃとからなるもので、内外側板部９ａ，９ｂの夫々前端部には前部フレーム枢着用ボルト挿通孔１０が、また後端部には後部フレーム枢着用のボルト挿通孔１１が設けられ、そして下板部９ｃが棒状の中央脚１２の上端面に載置された状態で固着されている。中央脚１２は左右一対設けられていて、両中央脚１２，１２は上下の連結杆１３，１３によって一体的に連結されている。また、内外各側板部９ａ，９ｂの夫々上端所要部には枢着ピン２４を係入する切欠部９ｏが切欠形成されている。
【００１３】
この枢着ブラケット９を形成する内外両側板部９ａ，９ｂ間の前部側に前部フレーム５の端部が差し込まれ、当該端部のボルト挿通孔（図示せず）及び両側板部９ａ，９ｂの前部フレーム枢着用ボルト挿通孔１０，１０にボルト１４（枢軸）が挿通されてナット１５で止着され、また内外両側板部９ａ，９ｂ間の後部側に後部フレーム７の端部が差し込まれ、当該端部のボルト挿通孔（図示せず）及び両側板部９ａ，９ｂの前部フレーム枢着用ボルト挿通孔１０，１０にボルト１６（枢軸）が挿通されてナット１７で止着されることにより、前後両フレーム５，７が枢着ブラケット９に枢着される。尚、安全カバー４は、前部フレーム５の枢着時にボルト１４を利用して枢着ブラケット９に取り付けられる。
【００１４】
しかして、上記枢着部３は、枢着ブラケット９と、この枢着ブラケット９の内外両側板部９ａ，９ｂ間の前部側及び後部側に夫々差し込まれる前部フレーム５の端部及び後部フレーム７の端部と、枢着ブラケット９に前部フレーム５及び後部フレーム７の夫々端部を枢着するボルト１４，１６及びナット１５，１７とによって構成される。
【００１５】
安全カバー４の取付構造について説明すると、この安全カバー４は、図４〜図７に示すように、外側壁部１８と、内側壁部１９と、内外両側壁部１８，１９の上端部をつなぐ上壁部２０とからなる略々下向きコ字状のカバーで、外側壁部１８の前部側（一端側）に円弧状の案内溝２１が貫設され、内側壁部１９の対応する前部側に円弧状案内溝２２が貫設されている。案内溝２１，２２は、側壁部１８，１９の夫々中央部寄り上端部から前方へ下り傾斜状にカーブした形状となっている。尚、このカバー４の内側壁部１９は前端部分が切除され、従って案内溝２２もその前部側が切除されている。また、このカバー４の内外両側壁部１８，１９には夫々後端部に、枢着部３における前部ベッド半体側の枢軸又は後部ベッド半体側の枢軸をスライド自在に係合させてなる枢着ピン挿通孔２３，２３が設けられている。
【００１６】
上記のように構成される安全カバー４を枢着部３に取り付けるには、この安全カバー４を枢着ブラケット９に上から被せるように配置し、前部フレーム５の端部を枢着部３の枢着ブラケット９に枢着するボルト１４（枢軸）の両端部を側壁部１８，１９の案内溝２１，２２にスライド自在に係合させると共に、このカバー４の内外両側壁部１８，１９の後端部にある枢着ピン挿通孔２３，２３から後部フレーム７の端部の枢着ピン挿通孔（図示省略）に枢着ピン２４を挿通して、抜け出ないように止着すればよい。
【００１７】
図１及び図２において、２５は前部ベッド半体１側に設けられた前部支持脚、２６は後部ベッド半体２側に設けられた後部支持脚で、前部支持脚２５は、倒立Ｕ字状に形成されていて前部フレーム５に固定された脚本体２５ａと、この脚本体２５ａの両端部に取り付けられたローラー２５ｂ，２５ｂとからなる。後部支持脚２６は、左右一対の脚本体２７，２７と、両脚本体２７，２７をつなぐ連結杆２８とからなり、各脚本体２７は、水平杆２７ａと、この水平杆２７ａ上に立設された倒立Ｕ字状のＵ字杆２７ｂと、水平杆２７ａの両端下部に取り付けられたキャスター２７ｃ，２７ｃとによって構成され、各脚本体２７のＵ字杆２７ｂが後部フレーム７の左右両側部に枢軸ピン２９によって枢着されている。
【００１８】
また図１及び図２において、３０は後部フレーム７の両端部に夫々取り付けられた下向きコ字状の把手で、ベッドを折り畳む時に、この把手３０を上方に持ち上げることによって、容易に折り畳むことができるようになっている。また、図２に示すように、左右の中央脚１２，１２をつなぐ下側の連結杆１３と、前部フレーム５の前端中央部及び後部フレーム７の後端中央部との間には夫々引っ張りコイルバネ３１，３１が介装されている。このバネ３１は、ベッドを折り畳む時にベッドが折り畳まれる力を補助し、小さな力で折り畳むことができるようにするためのものである。
【００１９】
また、図２の仮想線で示すように、前部ベッド半体１の前部マット６は、その前部側半分がラチェット機構（図示省略）によって自由な角度に起伏できるようになっている。
【００２０】
図２は前部ベッド半体１と後部ベッド半体２とが水平に展開されたベッド使用時の水平展開姿勢を示し、このベッド水平展開姿勢で安全カバー４が枢着部３を覆う状態を図５の(a) 及び図６の(a) 〜(c) に示す。また、図３は前部ベッド半体１と後部ベッド半体２とが折り畳まれて夫々鉛直姿勢になった状態を示し、そしてこの鉛直姿勢に折り畳まれた状態での安全カバー４の覆い状態を図５の(b) 及び図７の(a) 〜(c) に示す。
【００２１】
即ち、前後両ベッド半体１，２が水平に展開されたベッド水平展開姿勢では、図５の(a) 及び図６の(a) 〜(c) から分かるように、前部フレーム５の枢軸であるボルト１４が、安全カバー４の内外側壁部１８，１９にある案内溝２１，２２の上流端部に位置し、安全カバー４は、その上壁部２０が枢着ブラケット９の上端面に殆ど当接した状態で枢着部３の殆ど全体を被覆している。
【００２２】
このベッド水平展開姿勢から前後両ベッド半体１，２を折り畳むと、前後両フレーム５，７が枢着ブラケット９のボルト１４，１６（枢軸）を中心に回転して前後両フレーム５，７の対向端面が上向きとなるように鉛直姿勢に起立する。これに伴い、前部フレーム５側の枢軸であるボルト１４が案内溝２１，２２の上流端部からスライドして下流端部に位置すると共に、案内溝２１，２２と反対側の端部で安全カバー４を後部フレーム７の端部に枢着している枢着ピン２４が枢着ブラケット９より上方に変位し、それにより安全カバー４は、図５の(b) 及び図６の(a) 〜(c) から分かるように、その上壁部２０が上向きとなった前後両フレーム５，７の対向端面に殆ど当接した状態で枢着部３の殆ど全体を被覆する。即ち、前後両ベッド半体１，２が水平展開姿勢から折り畳まれて鉛直姿勢に起立すると、安全カバー４は、前後両ベッド半体１，２の折り畳み動作に追従して上動変位し、枢着部３の殆ど全体を覆うようになる。
【００２３】
そしてまた、上記のように折り畳まれて鉛直姿勢に起立した前後両ベッド半体１，２が水平に展開すると、前部フレーム５の枢軸であるボルト１４が案内溝２１，２２の下流端部からスライドして上流端部に移動し、安全カバー４は、前後両ベッド半体１，２の展開動作に追従して下動変位し、図６の(a) 〜(c) に示すように枢着部３の殆ど全体を被覆する。このように、前後両ベッド半体１，２を展開する時には、枢着部３が安全カバー４で覆われるから、この枢着部３付近に手指等を挟むおそれがない。また、前後両ベッド半体１，２が水平に展開した状態でも、安全カバー４は、その上壁部２０が枢着ブラケット９の上端面に殆ど当接した状態となって、枢着部３付近に隙間ができないため、シーツ等を挟み込んだりすることがなく安全である。
【００２４】
図８は本発明に係る他の安全カバー３４を示す。この安全カバー３４は、先の安全カバー４と大体同じ様な、外側壁部１８と、内側壁部１９と、内外両側壁部１８，１９の上端部をつなぐ上壁部２０とからなる略下向きコ字状のカバーで、側壁部１８，１９の一端部を枢着ピン２４によって前部フレーム５の端部に枢着すると共に、側壁部１８，１９と枢着ブラケット９との間に、上壁部２０を枢着ブラケット９側に引き付けるコイルバネ３２を介装することにより、この安全カバー４が前後両ベッド半体１，２の展開及び折り畳み動作に追従変位して枢着部３を被覆するようにしたものである。
【００２５】
この安全カバー３４には側壁部１８，１９に、後部フレーム７の枢軸であるボルト１６の両端部を係入させる切欠部３３が切欠形成されている。また、枢着ブラケット９の内外各側板部９ａ，９ｂの夫々上端所要部には、安全カバー３４の側壁部１８，１９の一端部を前部フレーム５の端部に枢着する枢着ピン２４を係入させるための切欠部９ｏが切欠形成されている。
【００２６】
図８の(b) は前後両ベッド半体１，２が水平に展開されたベッド水平展開姿勢で安全カバー３４が枢着部３を覆っている状態を示し、また同図の(c) には前後両ベッド半体１，２が折り畳まれて夫々鉛直姿勢になった状態での安全カバー３４の覆い状態を仮想線で示し、また内部構造を分かりやすくするためにコイルバネ３２の付勢力に抗して安全カバー３４を開放回動させた状態を実線で示している。
【００２７】
即ち、ベッド水平展開姿勢では、安全カバー３４は、その上壁部２０が枢着ブラケット９の上端面に殆ど当接した状態で枢着部３の殆ど全体を被覆している。しかして、このベッド水平展開姿勢から前後両ベッド半体１，２を折り畳むと、前後両フレーム５，７がボルト１４，１６（枢軸）を中心に回転して、前後両フレーム５，７の対向端面が上向きとなるように鉛直姿勢に起立し、これに伴って安全カバー３４は、コイルバネ３２の付勢力に抗して平行姿勢のまま上動変位し、その上壁部２０が上向きとなった前後両フレーム５，７の対向端面に当接した状態で枢着部３の殆ど全体を被覆する。即ち、前後両ベッド半体１，２が水平展開姿勢から折り畳まれて鉛直姿勢に起立すると、安全カバー３４は、前後両ベッド半体１，２の折り畳み動作に追従して上動変位し、枢着部３の殆ど全体を覆うようになる。
【００２８】
また、上記のように折り畳まれて鉛直姿勢に起立した前後両ベッド半体１，２が水平に展開すると、安全カバー３４は、前後両ベッド半体１，２の展開動作に追従して水平姿勢のまま下動変位し、枢着部３の殆ど全体を被覆する。このように、前後両ベッド半体１，２が展開する時は、枢着部３が安全カバー４で覆われるから、枢着部３付近に手指等を挟むおそれがなく、また前後両ベッド半体１，２が水平に展開した状態でも、上壁部２０が枢着ブラケット９の上端面に当接して、枢着部３付近に隙間ができないため、シーツ等を挟み込んだりすることがない。
【００２９】
上述した実施形態の安全カバー４では、側壁部１８，１９の一端側に円弧状の案内溝２１，２２を貫設し、この案内溝２１，２２に前部ベッド半体１側の枢軸１４を係合させたが、側壁部１８，１９の他端側に案内溝２１，２２を形成して、これに後部ベッド半体２側の枢軸１６を係合させるようにしてもよく、その場合は側壁部１８，１９の他端側を前部ベッド半体１側に枢軸２４で枢着すればよい。また上述した実施形態の安全カバー３４では、側壁部１８，１９の一端部を枢軸２４によって前部ベッド半体１側に枢着したが、側壁部１８，１９の他端部を後部ベッド半体２側に枢着してもよい。
【図面の簡単な説明】
【００３０】
【図１】本発明に係る折り畳み式ベッドを示す斜視図である。
【図２】同ベッドの側面図である。
【図３】同ベッドの折り畳み状態を示す側面図である。
【図４】(a) は枢着部の一部である枢着ブラケットを示す斜視図、(b) は安全カバーを外側壁部側から見た斜視図、(c) は安全カバーを内側壁部側から見た斜視図である。
【図５】(a) は展開されたベッドの枢着部が安全カバーで覆われた状態を示す斜視図、(b) は折り畳まれたベッドの枢着部が安全カバーで覆われた取付状態を示す斜視図である。
【図６】(a) は図５の(a) に示す安全カバー取付状態の正面図、(b) は平面図、(c) は(a) のイ−イ線断面図である。
【図７】(a) は図５の(b) に示す安全カバー取付状態の正面図、(b) は平面図、(c) は(a) のロ−ロ線断面図である。
【図８】(a) は本発明に係る他の折り畳み式ベッドの安全カバーを取り付けるのに使用される枢着ブラケットを示す斜視図、(b) は前後両ベッド半体が水平に展開されたベッド水平展開姿勢で安全カバーが枢着部を覆っている状態を示す斜視図、(c) は前後両ベッド半体が折り畳まれて夫々鉛直姿勢になった状態での安全カバーの覆い状態を示す斜視図である。
【符号の説明】
【００３１】
１                前部ベッド半体
２                後部ベッド半体
３                枢着部
４，３４          安全カバー
１４，１６        ボルト（枢軸）
１８              外側壁部
１９              内側壁部
２０              上壁部
２４              枢着ピン（枢軸）
３２              バネ
【図１】
2005074068.tif 000003
【図２】
2005074068.tif 000004
【図３】
2005074068.tif 000005
【図４】
2005074068.tif 000006
【図５】
2005074068.tif 000007
【図６】
2005074068.tif 000008
【図７】
2005074068.tif 000009
【図８】
2005074068.tif 000010